(57)【要約】      （修正有）【課題】男性、女性が、洋式水洗トイレ、洋式ポータブルトイレに座って小用をする際の小便の飛散を防止できる小便飛散防止用シートを提供する。【解決手段】Ｏ字形、Ｕ字形対応可能な小便飛散防止用シートであって、便座の前方内側、又は、便座の内側を利用して、飛散防止を図る長方形の接着面を有する。接着部分における切れ目は、カーブしやすくするためのものである。【選択図】図１
0003194724.tif 000002
【実用新案登録請求の範囲】
【請求項１】
男性が水洗トイレ、ポータブルトイレに座って小用をする際の小便の飛散防止のために、便座の前方内側、または．便座裏側を利用して飛散防止のためのシートを接着し、小便の飛散を防止するものである。
【考案の詳細な説明】
【技術分野】
【０００１】本実用新案は、水洗トイレ、ポータブル用の小用飛散防に関するものである【０００２】従来は、台座と便座との間にすきまがあり、男性が坐って小用をした時、すきまから小便が飛散していた
【先行技術文献】
【特許文献】
【０００３】
【実用新案の概要】
【実用新案が解決しようとする課題】
【０００４】水洗トイレ、ポータブルにおいて、男性が座って小用をした時、台座と便座のすきまに小便が飛散して便座裏や台座が汚れ、掃除を行う時不評かっている
本実用新案は、以上の問題点を解決するためになされたものである
【課題を解決する手段】
【０００５】台座、便座のすきまへの飛散防止のため、便座前方内側、または、便座裏側に装着部を接着したうえでシートを貼る
便座は、Ｏ形、Ｕ字形どちらにも対応します。
【実用新案の効課】
【０００６】男性が座って小用をした時、台座と便座のすきまに小便が飛散し掃除をする際、不評をかっていたが、飛散防止シートをつけることによって、飛散を防ぎ掃除の際の不評を軽減できる
【図面の簡単な説明】
【０００７】
【図１】本実用新案の斜視図
【図２】本実用新案の使用状態を示す斜視図
【実用新案を実施するための形態】
【０００８】  本実用新案の実施の形態を説明する。
１枚のシート状の物である。
便座前方内側での使用の時は、裏面の接着部ＥＦＧＨを便座前方内側に接着のうえ使用する。
Ｕ字形使用時  ＥＦＧＨの接着面をＧＨで山折りする
シートは、接着面を便座前方内側に向いＦＨを左にして便座裏側に接着する
２のキリトリ線から切って合わせ部分で接着する
Ｕ字形の時は、２のキリトリ線に添って切りとり、１の重ね部部分に接着し、便座の裏面に接着のうえ使用する。
本シートは、汚染の度合が大くなったら交換可能なシートである。
接着部分における切れ目は、カーブしやすくするためのものである。
【図１】
0003194724.tif 000003
【図２】
0003194724.tif 000004
【手続補正書】
【提出日】平成26年6月11日(2014.6.11)
【手続補正１】
【補正対象書類名】実用新案登録請求の範囲
【補正対象項目名】全文
【補正方法】変更
【補正の内容】
【実用新案登録請求の範囲】
【請求項１】
男性、女性が、洋式水洗トイレ、洋式ポータブルトイレに座って小用をする際の小便の飛散防止を図るために、便座の前方内側、又は、便座の裏側を利用して、飛散防止を図る接着型シート状の形状を有するＯ字形、Ｕ字形対応可能な小便飛散防止用シート
【手続補正２】
【補正対象書類名】明細書
【補正対象項目名】全文
【補正方法】変更
【補正の内容】
【考案の詳細な説明】
【技術分野】
【０００１】本実用新案は、洋式水洗トイレ、洋式ポータブルトイレ用小用時小便飛散防止に関するものである【０００２】従来は、台座と便座との間に隙間があり、男性、女性が座って小用をした時に、隙間から小便が飛散していた
【先行技術文献】
【特許文献】
【０００３】
【実用新案が解決しようとする課題】
【０００４】洋式水洗トイレ、洋式ポータブルトイレにおいて、男性、女性が座って小用をした際台座と便座の隙間から小便が飛散して便座裏や台座がその都度汚れ、掃除を行う際、不評をかっていた。本実用新案は、以上の問題点を解決するためになされたものである
【課題を解決する手段】
【０００５】台座と便座の隙間への飛散防止のため、便座前方内側、または、便座裏側に接着部を接着しシートを貼る。便座は、Ｏ字形、Ｕ字形対応可能です
【実用新案の効果】
【０００６】男性、女性が座って小用をした時、台座と便座の隙間に小便が飛散して掃除をする際不評をかっていたが、小便飛散防止シートをつけることによって、飛散を防ぎ、掃除の際の不評の軽減が図られる
【図面の簡単な説明】
【０００７】
【図１】本実用新案の斜視図
【図２】本実用新案の使用状態を示す斜視図
【実用新案を実施するための形態】
【０００８】本実用新案の実施の形態を説明する
１枚のシート状のものである
Ｏ字形の場合便座前方内側での使用時は、裏面の接着部ＥＦＧＨを便座前方に接着のうえ使用する
Ｕ字形の場合、ＥＦＧＨの接着面をＧＨで山折りする
シートは、接着面を便座前方内側に向かいＦＨを左にして便座裏側に接着する
２のキリトリ線から切って合わせ部分で接着する
Ｕ字形の時は、２のキリトリ線に添って切り取り、１の重ね部分に接着し便座の裏面に接着のうえ使用する。
本シートは、汚染の度合いが大きくなったら交換可能なシートである。
接着部分における切れ目は、カーブしやすくするためのものである
【手続補正３】
【補正対象書類名】図面
【補正対象項目名】全図
【補正方法】変更
【補正の内容】
【図１】
0003194724.tif 000005
【図２】
0003194724.tif 000006
【手続補正書】
【提出日】平成26年8月19日(2014.8.19)
【手続補正１】
【補正対象書類名】実用新案登録請求の範囲
【補正対象項目名】全文
【補正方法】変更
【補正の内容】
【実用新案登録請求の範囲】
【請求項１】
男性、女性が、洋式水洗トイレ、洋式ポータブルトイレに座って小用をする際の小便の飛散防止を図るために、便座の前方内側、又は、便座の内側を利用して、飛散防止を図る長方形の接着面を有するＯ字形、Ｕ字形対応可能な小便飛散防止用シート
【手続補正２】
【補正対象書類名】明細書
【補正対象項目名】全文
【補正方法】変更
【補正の内容】
【考案の詳細な説明】
【技術分野】
【０００１】本実用新案は、洋式水洗トイレ、洋式ポータブルトイレ用小用時小便飛散防止に関するものである【０００２】従来は、台座と便座との間に隙間があり、男性、女性が座って小用をした時に隙間から小便が飛散していた
【先行技術文献】
【０００３】
【実用新案が解決しようとする課題】
【０００４】洋式水洗トイレ、洋式ポータブルトイレにおいて、段瀬、女性が座って小用をした、際、台座と便座の隙間から小便が飛散していて便座の裏や台座がその都度汚れ、掃除を行う際、不評をかっていた。本実用新案は、以上の問題点を解決するためになされたものである
【問題を解決する手段】
【０００５】台座と便座の隙間への飛散防止のため、便座前方内側、または、便座裏側に長方形の接着面を貼る。便座はＯ字形、Ｕ字形対応可能です
【実用新案の効果】
【０００６】男性、女性が座って小用をした時に、台座と便座の隙間に小便が飛散して掃除をする際不評をかっていたが、小便飛散防止シートをつけることによって、飛散を防ぎ、掃除の際の不評の軽減が図られる
【手続補正書】
【提出日】平成26年10月17日(2014.10.17)
【手続補正１】
【補正対象書類名】実用新案登録請求の範囲
【補正対象項目名】全文
【補正方法】変更
【補正の内容】
【実用新案登録請求の範囲】
【請求項１】
男性、女性が、洋式水洗トイレ、洋式ポータブルトイレに座って小用をする際の小便の飛散防止を図るために、便座の前方内側、又は、便座の内側を利用して、飛散防止を図る長方形の接着面を有するＯ字形、Ｕ字形対応可能な小便飛散防止用シート
【手続補正２】
【補正対象書類名】明細書
【補正対象項目名】全文
【補正方法】変更
【補正の内容】
【考案の詳細な説明】
【技術分野】
【０００１】本実用新案は、洋式水洗トイレ、洋式ポータブルトイレ用小用時小便飛散防止に関するものである【０００２】従来は、台座と便座との間に隙間があり、男性、女性が座って小用をした時に隙間から小便が飛散していた
【先行技術文献】
【特許文献】
【０００３】
【実用新案が解決しようとする課題】
【０００４】洋式水洗トイレ、洋式ポータブルトイレにおいて、男性、女性が座って小用をした際台座と便座の隙間から小便が飛散して便座裏や台座がその都度汚れ、掃除を行う際、不評をかっていた。本実用新案は、以上の問題点を解決するためになされたものである
【課題を解決する手段】
【０００５】台座と便座の隙間への飛散防止のため、便座前方内側、または、便座裏側に接着部を接着しシートを貼る。便座は、Ｏ字形、Ｕ字形対応可能です
【実用新案の効果】
【０００６】男性、女性が座って小用をした時、台座と便座の隙間に小便が飛散して掃除をする際不評をかっていたが、小便飛散防止シートをつけることによって、飛散を防ぎ、掃除の際の不評の軽減が図られる
【図面の簡単な説明】
【０００７】
【図１】本実用新案の斜視図  小便飛散防止シートは１枚のシート状のものである
【図２】本実用新案の使用状況を示す斜視図  Ｏ字形の場合の便座前方内側での使用図、Ｕ字形の場合の便座裏側での使用図、Ｕ字形での使用時説明図
【実用新案を実施するための形態】
【０００８】本実用新案の実施の形態を説明する
１枚のシート状のものである
Ｏ字形の場合便座前方内側での使用時は、シートの裏面の接着部ＥＦＧＨを便座前方に接着のうえ使用する
Ｕ字形の場合、ＥＦＧＨの接着面をＧＨで山折りする
シートは、接着面を便座前方内側に向かいＦＨを左にして便座裏側に接着する
２のキリトリ線から切って合わせ部分で接着する
Ｕ字形の時、２のキリトリ線に添って切り取り、１の重ね部分に接着し便座の裏面に接着のうえ使用する
本シートは、汚染度合いが大きくなったら交換可能なシートである
接着部分における切れ目は、カーブしやすくするためのものである
【手続補正３】
【補正対象書類名】図面
【補正対象項目名】全図
【補正方法】変更
【補正の内容】
【図１】
0003194724.tif 000007
【図２】
0003194724.tif 000008